(57)【要約】【課題】歩行動作の最中に膝痛が生じにくくなる電気刺激装置を提供する。【解決手段】電気刺激装置１は、使用者の歩行に応じた検出信号を出力する第１検出部２１〜第４検出部２４と、検出信号に基づいて使用者の１歩行周期のうち立脚前期、立脚中期、立脚後期、遊脚前期、および、遊脚後期のいずれかを判定する制御部３１と、膝関節を跨ぐ筋肉に電気刺激を出力する第１電極１１〜第３電極１３とを備えている。制御部３１は、立脚中期において第１電極１１〜第３電極１３に電気刺激を出力させ、遊脚前期においてに第１電極１１〜第３電極１３に電気刺激を出力させない。【選択図】図１
2015136585.tif 000002
【特許請求の範囲】
【請求項１】
１歩行周期のうち、足裏全体が接地している立脚中期、および、前記足裏全体が接地していない遊脚期のいずれかを少なくとも判定する制御部と、
膝関節を跨ぐ筋肉に電気刺激を出力する電極と
を備え、
前記制御部は、
前記立脚中期において前記電極に電気刺激を出力させ、前記遊脚期において前記立脚中期に出力させる電気刺激よりも弱い電気刺激を前記電極に出力させる期間を有する、
または、
前記立脚中期において前記電極に電気刺激を出力させ、前記遊脚期において前記電極に電気刺激を出力させない期間を有する
電気刺激装置。
【請求項２】
前記制御部は、１歩行周期のうち、踵が接地し、かつ、足の爪先が接地していない立脚前期を判定し、
前記制御部は、前記立脚前期において前記電極に電気刺激を出力させる
請求項１に記載の電気刺激装置。
【請求項３】
前記制御部は、１歩行周期のうち、足の爪先が接地し、かつ、踵が接地していない立脚後期を判定し、
前記制御部は、前記立脚後期において前記電極に電気刺激を出力させる
請求項１または２に記載の電気刺激装置。
【請求項４】
前記制御部は、前記遊脚期のうち、脚を上げる期間である遊脚前期、および、前記脚を下す期間である遊脚後期を判定し、
前記制御部は、
前記遊脚後期において前記電極に電気刺激を出力させ、前記遊脚前期において前記立脚中期に出力する電気刺激よりも弱い電気刺激を前記電極に出力させる期間を有する、
または、
前記遊脚後期において前記電極に電気刺激を出力させ、前記遊脚前期において前記電極に電気刺激を出力させない期間を有する
請求項１〜３のいずれか一項に記載の電気刺激装置。
【請求項５】
前記電気刺激装置は、複数の前記電極、および、装着部を有し、
前記装着部は、下肢に装着される物体であり、
前記複数の電極のうちの１つである腹側筋電極は、前記装着部のうち、前記膝関節を跨ぐ筋肉である下肢腹側筋群に対応する部分に取り付けられ、
前記複数の電極のうちの１つである背側筋電極は、前記装着部のうち、前記膝関節を跨ぐ筋肉である下肢背側筋群に対応する部分に取り付けられ、
前記複数の電極のうちの１つである腓腹筋電極は、前記装着部のうち、前記膝関節を跨ぐ筋肉である腓腹筋に対応する部分に取り付けられ、
前記制御部は、
前記１歩行周期のうち、踵が接地し、かつ、足の爪先が接地していない立脚前期、足の爪先が接地し、かつ、踵が接地していない立脚後期、脚を上げる期間である遊脚前期、および、前記脚を下す期間である遊脚後期を判定し、
前記立脚前期において前記複数の電極の少なくとも１つに電気刺激を出力させる、または、前記立脚前期において前記複数の電極の少なくとも１つに電気刺激を出力させない、
前記立脚後期において前記複数の電極の少なくとも１つに電気刺激を出力させる、または、前記立脚後期において前記複数の電極の少なくとも１つに電気刺激を出力させない、
前記遊脚後期において前記複数の電極の少なくとも１つに電気刺激を出力させる、または、前記遊脚後期において前記複数の電極の少なくとも１つに電気刺激を出力させない
請求項１〜４のいずれか一項に記載の電気刺激装置。
【発明の詳細な説明】
【技術分野】
【０００１】
本発明は、電気刺激装置に関する。
【背景技術】
【０００２】
従来の電気刺激装置の電極は、大腿および下腿に取り付けられ、電極に電流を供給することにより大腿および下腿の筋肉を刺激する。
従来の電気刺激装置の一例である特許文献１の筋力増強器は、使用者が椅子に座った状態で膝関節を屈曲状態から伸展する場合、および、使用者がうつ伏せになって膝関節を伸展状態から屈曲する場合、大腿および下腿に電気刺激する。
【先行技術文献】
【特許文献】
【０００３】
【特許文献１】特開２０００−２７９５３６号公報
【発明の概要】
【発明が解決しようとする課題】
【０００４】
本願発明者は、適切なタイミングにおいて使用者の下肢に電気刺激を付与することにより、使用者の歩行動作の最中に膝痛が生じにくくなることを見出した。特許文献１は、電気刺激装置を用いて使用者の歩行動作の最中に膝痛が生じにくくなる点について考慮していない。
【０００５】
本発明は、歩行動作の最中に膝痛が生じにくくなる電気刺激装置を提供することを目的とする。
【課題を解決するための手段】
【０００６】
本電気刺激装置は、１歩行周期のうち、足裏全体が接地している立脚中期、および、前記足裏全体が接地していない遊脚期のいずれかを少なくとも判定する制御部と、膝関節を跨ぐ筋肉に電気刺激を出力する電極とを備え、前記制御部は、前記立脚中期において前記電極に電気刺激を出力させ、前記遊脚期において前記立脚中期に出力させる電気刺激よりも弱い電気刺激を前記電極に出力させる期間を有する、または、前記立脚中期において前記電極に電気刺激を出力させ、前記遊脚期において前記電極に電気刺激を出力させない期間を有する。
【０００７】
この電気刺激装置の構成によれば、歩行動作において膝痛が発生しやすい立脚中期において膝関節を跨ぐ筋肉に電気刺激が付与される。このため、歩行動作の最中に膝痛が生じにくくなる。
【発明の効果】
【０００８】
歩行動作の最中に膝痛が生じにくくなる。
【図面の簡単な説明】
【０００９】
【図１】実施形態の電気刺激装置の構成を示すブロック図。
【図２】（ａ）大腿四頭筋と電極との位置関係を示す大腿の正面図、（ｂ）ハムストリングと電極との位置関係を示す大腿の背面図、（ｃ）腓腹筋と電極との位置関係を示す下腿の背面図。
【図３】実施形態の検出信号と歩容判定との関係を示すグラフ。
【図４】実施形態の各歩行モードと各電極による電気刺激との関係を示す表。
【図５】実施形態の１歩行周期の各期間と膝痛の度合との関係を示すグラフ。
【図６】実施形態の電気刺激の有無と大腿の加速度面積との関係を示すグラフ。
【図７】他の実施形態の通電パターンの一覧を示す表。
【発明を実施するための形態】
【００１０】
図１を参照して、電気刺激装置１の構成について説明する。
電気刺激装置１は、２個の刺激付与部１０、第１検出部２１、第２検出部２２、第３検出部２３、第４検出部２４、および、操作装置３０を有している。
【００１１】
一方の刺激付与部１０は、右下肢に対応した構造を有している。他方の刺激付与部１０は、左下肢に対応した構造を有している。刺激付与部１０は、下肢５０（図２参照）に電気刺激を付与する。刺激付与部１０は、第１電極１１、第２電極１２、第３電極１３、および、サポーター１４を有している。各電極１１〜１３は、サポーター１４の裏面に取り付けられている。各電極１１〜１３は、導電線ＥＬにより操作装置３０の制御部３１と電気的に接続されている。なお、第１電極１１は「腹側筋電極」に相当する。第２電極１２は「背側筋電極」に相当する。第３電極１３は「腓腹筋電極」に相当する。サポーター１４は「装着部」に相当する。
【００１２】
第１〜第４検出部２１〜２４は、制御部３１と電気的に接続されている。
第１検出部２１の一例は、圧力センサーである。第１検出部２１は、両足の爪先に取り付けられる。第１検出部２１は、爪先が接地することにより生じる圧力に応じた検出信号を制御部３１に出力する。
【００１３】
第２検出部２２の一例は、圧力センサーである。第２検出部２２は、両足の踵に取り付けられる。第２検出部２２は、踵が接地することにより生じる圧力に応じた検出信号を制御部３１に出力する。
【００１４】
第３検出部２３の一例は、ジャイロセンサーである。第３検出部２３は、両脚の膝上部の側面部または正面部に取り付けられる。第３検出部２３は、股関節を回転中心とした大腿部の角速度に応じた検出信号を制御部３１に出力する。
【００１５】
第４検出部２４の一例は、ジャイロセンサーである。第４検出部２４は、両脚の膝下部の側面部または正面部に取り付けられる。第４検出部２４は、膝関節を回転中心とした下腿部の角速度に応じた検出信号を制御部３１に出力する。
【００１６】
操作装置３０は、制御部３１、電源部４１、操作部４２、切換部４３、表示部４４、記憶部４５、および、パルス発生部４６を有している。電源部４１、操作部４２、切換部４３、表示部４４、記憶部４５、および、パルス発生部４６は、制御部３１に電気的に接続されている。
【００１７】
制御部３１は、歩容判定部３２および出力制御部３３を有している。
歩容判定部３２は、各検出部２１〜２４の信号に基づいて、使用者の歩行動作が１歩行周期のうちの立脚前期、立脚中期、立脚後期、遊脚前期、および、遊脚後期のいずれに該当するかを判定する。歩容判定部３２は、判定結果に関する情報を含む動作検出信号を出力制御部３３に出力する。
【００１８】
なお、立脚前期は、踵が接地してから爪先が接地するまでの期間を示す。立脚中期は、足裏全体が接地している期間を示す。立脚後期は、踵状態が接地から非接地に変化してから爪先状態が接地から非接地に変化するまでの期間を示す。遊脚前期は、爪先状態が接地から非接地に変化してから脚を上げる動作から脚を下げる動作に変化するまでの期間を示す。遊脚後期は、脚を上げる動作から脚を下げる動作に変化してから踵状態が非接地から接地に変化するまでの期間を示す。
【００１９】
出力制御部３３は、プログラムまたは回路により構成されている。出力制御部３３は、操作部４２、切換部４３、および、歩容判定部３２の動作検出信号に基づいて、パルス状の電圧を各電極１１〜１３に供給する。出力制御部３３は、パルス状の電圧の幅および電圧の間隔を変更することにより各電極１１〜１３に供給される電流の大きさおよび周波数を制御する。出力制御部３３は、各電極１１〜１３に電流が供給されることにより各電極１１〜１３に電気刺激を出力させる。出力制御部３３は、各電極１１〜１３に供給する電流の制御モードとして、平地歩行モード、階段上りモード、および、階段下りモードを有する。
【００２０】
電源部４１は、パルス発生部４６および制御部３１に電力を供給する。操作部４２は、制御部３１の電源をオンおよびオフするためのスイッチ、ならびに、各種の設定を行うためのスイッチおよびダイヤルを有している。切換部４３は、出力制御部３３の制御モードを切り換える。切換部４３は、複数の制御モードに対応した複数の操作片を有している。表示部４４は、電気刺激が付与されている筋肉および電気刺激の強さを示す情報等を表示する。記憶部４５は、各電極１１〜１３を制御するためのプログラムが予め記憶されている。パルス発生部４６は、２０Ｈｚ〜１００Ｈｚ、好ましくは４０Ｈｚの低周波の信号を制御部３１に出力する。
【００２１】
図２を参照して、下肢５０の筋肉について説明する。
中立変位状態は、使用者が膝関節を伸ばした状態を示す。なお、中立変位状態から膝関節が曲げられる動作、および、膝関節が曲げられた状態から中立変位状態に戻す動作を膝関節の変位とする。
【００２２】
中立回旋状態は、下肢５０の軸周りで膝関節が回旋していない状態を示す。
膝関節の回旋は、中立回旋状態から下肢５０の軸周りで膝関節が回旋する動作を示す。また、膝関節が内側から外側に向けて回旋する動作を「外旋」とし、膝関節が外側から内側に向けて回旋する動作を「内旋」とする。
【００２３】
下肢５０は、大腿５０Ａおよび下腿５０Ｂに区分される。大腿５０Ａを構成する筋肉は、下肢腹側筋群としての大腿四頭筋５１、および、下肢背側筋群としてのハムストリング５２を含む。ハムストリング５２は、半腱様筋５３、大腿二頭筋５４、および、半膜様筋５５を含む。下腿５０Ｂを構成する筋肉は、腓腹筋５６を含む。
【００２４】
大腿四頭筋５１、ハムストリング５２、および、腓腹筋５６は、膝関節を跨ぐ筋肉である。大腿四頭筋５１およびハムストリング５２が収縮したときには、膝関節を上側に引っ張ることにより膝関節を中立変位状態に戻そうとする力が膝関節に働く。また、腓腹筋５６が収縮したときには、膝関節を下側に引っ張ることにより膝関節を中立変位状態に戻そうとする力が膝関節に働く。このため、大腿四頭筋５１、ハムストリング５２、および、腓腹筋５６の少なくとも１つが収縮したときには、膝関節の変位を小さくする方向の力が膝関節に働く。
【００２５】
大腿四頭筋５１およびハムストリング５２は、膝関節の回旋に寄与する筋肉である。大腿四頭筋５１およびハムストリング５２が収縮したときには、膝関節を外旋した状態または内旋した状態から中立回旋状態に戻そうとする力が膝関節に働く。このため、大腿四頭筋５１およびハムストリング５２の少なくとも１つが収縮したときには、膝関節の回旋を小さくする方向の力が膝関節に働く。
【００２６】
次に、下肢５０の筋肉と各電極１１〜１３との位置関係について説明する。なお、図２は、右下肢と各電極１１〜１３との位置関係を示している。また、左下肢の筋肉と各電極１１〜１３との位置関係は右下肢の筋肉と各電極１１〜１３との位置関係と同様である。
【００２７】
第１電極１１は、サポーター１４（図１参照）において大腿四頭筋５１と対応する部分に取り付けられている。第１電極１１の正極および負極は、サポーター１４が右下肢に取り付けられた状態において、大腿四頭筋５１において上下方向に離間して配置されている。第２電極１２は、サポーター１４においてハムストリング５２と対応する部分に取り付けられている。第２電極１２の正極および負極は、サポーター１４が右下肢に取り付けられた状態において、ハムストリング５２の上下方向の中央部において左右方向に離間して配置されている。第３電極１３は、サポーター１４において腓腹筋５６に対応する部分に取り付けられている。第３電極１３の正極および負極は、サポーター１４が右下肢に取り付けられた状態において、腓腹筋５６の左右方向に離間して配置されている。
【００２８】
図３を参照して、歩容判定について説明する。
歩行動作のフェーズが立脚前期のとき、爪先が接地せず、踵が接地している。このため、時刻ｔ１１から時刻ｔ１２までの期間に示されるとおり、第１検出部２１の検出信号が第１閾値ＴＨ１以上の大きさを示し、第２検出部２２の検出信号が第２閾値ＴＨ２未満の大きさを示す。このため、歩容判定部３２は、例えば、時刻ｔ１１において、第１検出部２１の検出信号が第１閾値ＴＨ１以上であること、および、第２検出部２２の検出信号が第２閾値ＴＨ２未満であることに基づいて、歩行動作のフェーズが立脚前期であることを判定する。歩容判定部３２は、歩行動作のフェーズが立脚前期であると判定したとき、動作検出信号として、立脚前期検出信号を出力制御部３３に出力する。
【００２９】
歩行動作のフェーズが立脚中期のとき、爪先および踵が接地している。このため、時刻ｔ１２から時刻ｔ１３までの期間に示されるとおり、第１検出部２１の検出信号が第１閾値ＴＨ１未満の大きさを示し、第２検出部２２の検出信号が第２閾値ＴＨ２未満の大きさを示す。このため、歩容判定部３２は、例えば、時刻ｔ１２において、第１検出部２１の検出信号が第１閾値ＴＨ１未満であること、および、第２検出部２２の検出信号が第２閾値ＴＨ２未満であることに基づいて、歩行動作のフェーズが立脚中期であると判定する。歩容判定部３２は、歩行動作のフェーズが立脚中期であると判定したとき、動作検出信号として、立脚中期検出信号を出力制御部３３に出力する。
【００３０】
歩行動作のフェーズが立脚後期のとき、爪先が接地し、踵が接地していない。このため、時刻ｔ１３から時刻ｔ１４までの期間に示されるとおり、第１検出部２１の検出信号が第１閾値ＴＨ１未満の大きさを示し、第２検出部２２の検出信号が第２閾値ＴＨ２以上の大きさを示す。このため、歩容判定部３２は、例えば、時刻ｔ１３において、第１検出部２１の検出信号が第１閾値ＴＨ１未満であること、および、第２検出部２２の検出信号が第２閾値ＴＨ２以上であることに基づいて、歩行動作のフェーズが立脚後期であると判定する。歩容判定部３２は、歩行動作のフェーズが立脚後期であると判定したとき、動作検出信号として、立脚後期検出信号を出力制御部３３に出力する。
【００３１】
歩行動作のフェーズが遊脚期のとき、爪先および踵が接地していない。このため、時刻ｔ１４から時刻ｔ１６までの期間に示されるとおり、第１検出部２１の検出信号が第１閾値ＴＨ１以上の大きさを示し、第２検出部２２の検出信号が第２閾値ＴＨ２以上の大きさを示す。また、歩行動作のフェーズが遊脚前期のとき、大腿５０Ａの角速度変化が下腿５０Ｂの角速度変化よりも大きい。このため、時刻ｔ１４から時刻ｔ１５までの期間に示されるとおり、第３検出部２３の検出信号が増加し、第４検出部２４の検出信号が減少する。このため、歩容判定部３２は、例えば、時刻ｔ１４において、第１検出部２１の検出信号が第１閾値ＴＨ１未満であること、および、第２検出部２２の検出信号が第２閾値ＴＨ２未満であることに基づいて、歩行動作のフェーズが遊脚期であると判定する。さらに、第３検出部２３の検出信号が増加していること、および、第４検出部２４の検出信号が減少していることに基づいて、歩行動作のフェーズが遊脚前期であると判定する。歩容判定部３２は、歩行動作のフェーズが遊脚前期であると判定したとき、動作検出信号として、遊脚前期検出信号を出力制御部３３に出力する。
【００３２】
歩行動作のフェーズが遊脚後期のとき、下腿５０Ｂの角速度変化が大腿５０Ａの角速度変化よりも大きい。このため、時刻ｔ１５から所定の期間に示されるとおり、第３検出部２３の検出信号が減少し、第４検出部２４の検出信号が増加する。このため、歩容判定部３２は、例えば、時刻ｔ１５において、第３検出部２３の検出信号が減少すること、および、第４検出部２４の検出信号が増加することに基づいて、歩行動作のフェーズが遊脚後期であると判定する。歩容判定部３２は、歩行動作のフェーズが遊脚後期であると判定したとき、動作検出信号として、遊脚後期検出信号を出力制御部３３に出力する。
【００３３】
図４を参照して、１歩行周期における各電極１１〜１３（図１参照）の電気刺激の出力形態について説明する。なお、図４を参照する以下の説明において、符号が付された電気刺激装置１の構成要素は、図１に記載された構成要素を示す。
【００３４】
出力制御部３３は、平地歩行モード、階段上りモード、および、階段下りモードにおいて、以下の各電極１１〜１３の通電パターンが実行されている。
出力制御部３３は、切換部４３により平地歩行モードが選択されたとき、立脚中期において各電極１１〜１３に電気刺激を出力させ、立脚前期、立脚後期、遊脚前期、および、遊脚後期において各電極１１〜１３に電気刺激を出力させない。
【００３５】
出力制御部３３は、切換部４３により階段上りモードが選択されたとき、立脚中期および立脚後期において各電極１１〜１３に電気刺激を出力させ、立脚前期、遊脚前期、および、遊脚後期において各電極１１〜１３に電気刺激を出力させない。
【００３６】
出力制御部３３は、切換部４３により階段下りモードが選択されたとき、立脚前期および立脚中期において各電極１１〜１３に電気刺激を出力させ、立脚後期、遊脚前期、および、遊脚後期において各電極１１〜１３に電気刺激を出力させない。
【００３７】
本願発明者は、電気刺激装置１による電気刺激の有無に基づく膝痛の度合および膝関節の回旋の変動量を測定した。本願発明者は、第１電極１１および第２電極１２を使用者に取り付け、第３電極１３を使用者に取り付けない状態において使用者が歩行動作したときの膝痛の度合を測定した。なお、本願発明者は、膝関節の回旋の変動量についても同様に測定した。
【００３８】
膝痛の度合の測定条件および測定結果について説明する。
本願発明者は、日常動作において最も膝痛が大きくなる動作を基準として、立脚前期、立脚中期、立脚後期、および、遊脚期のそれぞれの膝痛の度合について複数の被測定者に聴収した。
【００３９】
図５に示されるように、本願発明者は以下の測定結果を得た。
電気刺激が付与されていない状態において被測定者が歩行動作として平地歩行したとき、立脚中期、立脚前期、遊脚期、および、立脚後期の順に膝痛の度合が大きい。また、電気刺激が付与されていない状態において被測定者が歩行動作として階段上りしたとき、立脚中期、立脚後期、立脚前期、および、遊脚期の順に膝痛の度合が大きい。また、電気刺激が付与されていない状態において被測定者が歩行動作として階段下りしたとき、立脚中期、立脚前期、立脚後期、および、遊脚期の順に膝痛の度合が大きい。
【００４０】
この測定結果から、本願発明者は、電気刺激が付与された状態における立脚期および遊脚期の膝痛の度合は、電気刺激が付与されていない状態における立脚期および遊脚期の膝痛の度合よりも小さくなることを確認した。また、本願発明者は、電気刺激が付与された状態の立脚中期の膝痛の度合は、電気刺激が付与されていない状態の立脚中期の膝痛の度合に対して顕著に小さくなることを確認した。
【００４１】
膝関節の回旋の度合の測定条件および測定結果について説明する。
本願発明者は、図６に示される測定条件で膝関節の回旋の変動量として大腿５０Ａの加速度面積を測定した。
【００４２】
被測定者は、左右の大腿５０Ａに３軸加速度センサー（図示略）を取り付けた。３軸加速度センサーは、大腿５０Ａの加速度に応じた信号を解析用コンピューター（図示略）に出力する。解析用コンピューターは、立脚期における左右方向成分の加速度波形の面積である加速度面積を算出した。
【００４３】
測定結果は、電気刺激を付与した状態において歩行動作したときの大腿５０Ａの加速度面積が、電気刺激を付与しない状態において歩行動作したときの大腿５０Ａの加速度面積よりも小さくなることを示した。その理由は、電気刺激装置１により大腿四頭筋５１およびハムストリング５２に電気刺激を付与することにより大腿四頭筋５１およびハムストリング５２が収縮するため、膝関節の回旋が抑制されることによるものと考えられる。
【００４４】
本実施形態の電気刺激装置１の作用について説明する。
電気刺激装置１は、立脚中期において大腿四頭筋５１、ハムストリング５２、および、腓腹筋５６に電気刺激を付与する。これにより、大腿四頭筋５１およびハムストリング５２が収縮するため、立脚中期において膝関節の回旋が抑制される。また、腓腹筋５６が収縮するため、膝関節の変位が抑制される。
【００４５】
本実施形態の電気刺激装置１によれば、以下の効果が得られる。
（１）電気刺激装置１は、立脚中期において膝関節を跨ぐ筋肉に電気刺激を付与する。このため、歩行動作の最中の膝痛が抑制される。また、電気刺激装置１は、使用者が歩行動作するときに膝への負荷が小さくなる遊脚期において膝関節を跨ぐ筋肉に電気刺激を付与しない。このため、膝痛の増加および電気刺激による筋肉の疲労の増加の両方を抑制することができる。したがって、電気刺激装置１は、歩行動作時において、膝痛の発生を抑制すること、および、筋肉疲労の増加を抑制することを両立することができる。
【００４６】
（２）電気刺激装置１は、階段上りモードのとき、立脚後期において各電極１１〜１３に電気刺激を出力させる。このため、膝痛が低減される。
（３）電気刺激装置１は、階段下りモードのとき、立脚前期において各電極１１〜１３に電気刺激を出力させる。このため、膝痛が低減される。
【００４７】
（４）電気刺激装置１は、立脚中期において大腿四頭筋５１、ハムストリング５２、および、腓腹筋５６に電気刺激を付与する。このため、膝痛がより小さくなる。
（５）電気刺激装置１は、遊脚期において大腿四頭筋５１、ハムストリング５２、および、腓腹筋５６に電気刺激を付与しない。このため、電気刺激による筋肉の疲労の増加が抑制される。
【００４８】
本電気刺激装置は、以下の変形例を取り得る。
・第１電極１１のサポーター１４への取付位置が、大腿四頭筋５１に対応するサポーター１４の部分の範囲内において左右方向に離間した状態で貼り付けられる。
【００４９】
・第２電極１２のサポーター１４への取付位置が、ハムストリング５２に対応するサポーター１４の部分の範囲内においてハムストリング５２の上下方向の中央部以外の位置に変更される。
【００５０】
・第３電極１３が、腓腹筋５６に対応するサポーター１４の部分の範囲内において上下方向に離間した状態で貼り付けられる。
・各電極１１〜１３に加えて、下肢５０の以下の部分に対応するサポーター１４の部分に電極が貼り付けられる。
（Ａ１）電極は、下腿５０Ｂの外側部に対応するサポーター１４の部分に貼り付けられる。これにより、電極は、足背筋群に電気刺激を付与する。
（Ａ２）電極は、中臀筋に対応するサポーター１４の部分の範囲内において上下方向に離間した状態で貼り付けられる。
（Ａ３）電極は、大臀筋に対応するサポーター１４の部分の範囲内において上下方向に離間した状態で貼り付けられる。
【００５１】
上記（Ａ２）および（Ａ３）の構成によれば、中臀筋または大臀筋に電気刺激が付与されることにより中臀筋または大臀筋の収縮するとき、ハムストリング５２が連動して収縮する。このため、膝関節の回旋が抑制される。
【００５２】
・電気刺激装置１は、第２電極１２に代えて、上記（Ａ２）および（Ａ３）の少なくとも一方の電極を有する。
・各電極１１〜１３のうちの１つまたは２つが省略される。
【００５３】
・各電極１１〜１３が、平地歩行モード、階段上りモード、および、階段下りモードにおいて、立脚中期のうちの一部の期間において膝関節を跨ぐ筋肉に電気刺激を付与する。
・各電極１１〜１３が、階段上りモードにおいて、立脚後期のうちの一部の期間において膝関節を跨ぐ筋肉に電気刺激を付与する。
【００５４】
・各電極１１〜１３が、階段下りモードにおいて、立脚前期のうちの一部の期間において膝関節を跨ぐ筋肉に電気刺激を付与する。
・制御部３１が、遊脚前期の一部の期間、または、遊脚後期の一部の期間において各電極１１〜１３に電気刺激を出力する。
【００５５】
・制御部３１が、立脚中期において各電極１１〜１３に出力する電気刺激よりも弱い電気刺激を遊脚前期において各電極１１〜１３に出力する。この弱い電気刺激の生成方法は、例えば、以下の（Ｂ１）〜（Ｂ３）が挙げられる。なお、（Ｂ１）〜（Ｂ３）は互いに組み合わせることができる。
（Ｂ１）電気刺激を各電極１１〜１３のうちの１つまたは２つに出力する。
（Ｂ２）遊脚前期において電気刺激を出力する期間が立脚中期において電気刺激を出力する期間よりも短い。
（Ｂ３）各電極１１〜１３のうちの電気刺激を出力する電極に供給される電流が小さい。
【００５６】
・制御部３１が、図７に示される通電パターンを有する。
（ａ１）通電パターンＡは、立脚中期において電極に電気刺激を出力させ、立脚前期、立脚後期、および、遊脚期において電極に電気刺激を出力させない。
（ａ２）通電パターンＢは、立脚前期および立脚中期において電極に電気刺激を出力させ、立脚後期および遊脚期において電極に電気刺激を出力させない。
（ａ３）通電パターンＣは、立脚中期および立脚後期において電極に電気刺激を出力させ、立脚前期および遊脚期において電極に電気刺激を出力させない。
（ａ４）通電パターンＤは、立脚期において電極に電気刺激を出力させ、遊脚期において電極に電気刺激を出力させない。
（ａ５）通電パターンＥは、立脚前期、立脚中期、および、遊脚後期において電極に電気刺激を出力させ、立脚後期および遊脚前期において電極に電気刺激を出力させない。
（ａ６）通電パターンＦは、立脚期および遊脚後期において電極に電気刺激を出力させ、立脚前期において電極に電気刺激を出力させない。
【００５７】
上記通電パターンによれば、上記実施形態の（１）〜（５）の効果、ならびに、以下の（６）および（７）の効果が得られる。
（６）通電パターンＤによれば、足裏の接地にともない膝関節が回旋することを抑制する期間が長くなる。このため、立脚期において膝痛が生じにくくなる。また、複数の通電パターンＤが組み合わせて実行される場合、膝痛がより生じにくくなる。また、膝関節を跨ぐ筋肉が増強されやすくなる。このため、使用者の体力向上が期待できる。
（７）通電パターンＥまたはＦによれば、踵が接地する前から膝関節を跨ぐ筋肉に電気刺激が付与される。このため、踵が接地し始めるタイミングにおいて、すでに電気刺激が付与されている状態が形成されやすくなる。このため、踵が接地したときの膝痛が生じにくくなる。
【００５８】
・制御部３１が、各電極１１〜１３の少なくとも１つを、上記通電パターンＡ〜Ｆのいずれかに基づいて制御する。この場合、制御部３１が次の（Ｃ１）および（Ｃ２）の少なくとも一方の構成を取り得る。
（Ｃ１）制御部３１は、立脚中期において各電極１１〜１３の１つまたは２つに電気刺激を出力させない。
（Ｃ２）制御部３１は、遊脚前期において各電極１１〜１３の１つまたは２つに電気刺激を出力させる。
【００５９】
・歩容判定部３２は、第３検出部２３のみに基づいて立脚前期、立脚中期、立脚後期、遊脚前期、および、遊脚後期を判定する。
歩行動作のフェーズが立脚前期のとき、第３検出部２３の検出信号が緩やかに増加する。このため、歩容判定部３２は、第３検出部２３の検出信号の変化速度が増加を示すプラスの値であり、かつ、変化速度の絶対値が予め設定された速度閾値以下、かつ、第３検出部２３の検出信号の変化量が変化閾値よりも大きいとき、立脚前期と判定する。なお、第３検出部２３の検出信号の変化速度は、取得した検出信号を微分することにより算出される。また、第３検出部２３の検出信号の変化量は、例えば、複数回前にサンプリングしたときの検出信号と、今回サンプリングした検出信号との差により算出される。また、変化閾値は、試験等により予め設定される。
【００６０】
歩行動作のフェーズが立脚中期のとき、第３検出部２３の検出信号が殆ど変化しない。このため、歩容判定部３２は、第３検出部２３の検出信号の変化速度の絶対値が速度閾値以下、かつ、第３検出部２３の検出信号の変化量が変化閾値以下のとき、立脚中期と判定する。
【００６１】
歩行動作のフェーズが立脚後期のとき、第３検出部２３の検出信号が緩やかに減少する。このため、歩容判定部３２は、第３検出部２３の検出信号の変化速度が減少を示すマイナスの値であり、かつ、変化速度の絶対値が速度閾値以下、かつ、第３検出部２３の検出信号の変化量が変化閾値よりも大きいとき、立脚後期と判定する。
【００６２】
歩行動作のフェーズが遊脚前期のとき、第３検出部２３の検出信号が急激に増加する。このため、歩容判定部３２は、第３検出部２３の検出信号の変化速度がプラスの値であり、かつ、変化速度の絶対値が速度閾値よりも大きいとき、遊脚前期と判定する。
【００６３】
歩行動作のフェーズが遊脚後期のとき、第３検出部２３の検出信号が急激に減少する。このため、歩容判定部３２は、第３検出部２３の検出信号の変化速度がマイナスの値であり、かつ、変化速度の絶対値が速度閾値よりも大きいとき、遊脚後期と判定する。
【００６４】
・歩容判定部３２は、第４検出部２４のみに基づいて立脚前期、立脚中期、立脚後期、遊脚前期、および、遊脚後期を判定する。
歩行動作のフェーズが立脚前期のとき、第４検出部２４の検出信号が緩やかに減少する。このため、歩容判定部３２は、第４検出部２４の検出信号の変化速度が減少を示すマイナスの値であり、かつ、変化速度の絶対値が予め設定された速度閾値以下、かつ、第４検出部２４の検出信号の変化量が変化閾値よりも大きいとき、立脚前期と判定する。なお、第４検出部２４の検出信号の変化速度および変化量は、第３検出部２３の検出信号の変化速度および変化量と同様に算出される。
【００６５】
歩行動作のフェーズが立脚中期のとき、第４検出部２４の検出信号が殆ど変化しない。このため、歩容判定部３２は、第４検出部２４の検出信号の変化速度の絶対値が速度閾値以下、かつ、第４検出部２４の検出信号の変化量が変化閾値以下のとき、立脚中期と判定する。
【００６６】
歩行動作のフェーズが立脚後期のとき、第４検出部２４の検出信号が急激に増加する。このため、歩容判定部３２は、第４検出部２４の検出信号の変化速度が増加を示すプラスの値であり、かつ変化速度の絶対値が速度閾値よりも大きいとき、立脚後期と判定する。
【００６７】
歩行動作のフェーズが遊脚前期のとき、第４検出部２４の検出信号が緩やかに増加する。このため、歩容判定部３２は、第３検出部２３の検出信号の変化速度がプラスの値であり、かつ、変化速度の絶対値が速度閾値以下、かつ、第４検出部２４の検出信号の変化量が変化閾値よりも大きいとき、遊脚前期と判定する。
【００６８】
歩行動作のフェーズが遊脚後期のとき、第４検出部２４の検出信号が急激に減少する。このため、歩容判定部３２は、第３検出部２３の検出信号の変化速度がマイナスの値であり、かつ、変化速度の絶対値が速度閾値以下のとき、遊脚後期と判定する。
【００６９】
・歩容判定部３２は、第１検出部２１〜第４検出部２４の検出信号以外の手段により１歩行周期の立脚前期、立脚中期、立脚後期、遊脚前期、および、遊脚後期を判定する。例えば、歩容判定部３２は、使用者の腕の振り、または、体幹の回転等により１歩行周期の立脚前期、立脚中期、立脚後期、遊脚前期、および、遊脚後期を判定する。この場合、使用者の腕、または、体幹にジャイロセンサーが取り付けられる。
【００７０】
・パルス発生部４６が、３ｋＨｚ以上の高周波の信号を制御部３１に出力する。制御部３１は、立脚中期において各電極１１〜１３に３ｋＨｚ以上の電気刺激を出力する期間と、各電極１１〜１３に電気刺激を出力しない期間とを設定する。この場合、各電極１１〜１３に電気刺激を出力する期間は、各電極１１〜１３に電気刺激を出力しない期間よりも短い。このような３ｋＨｚ以上の高周波となる電気刺激が膝関節を跨ぐ筋肉に付与された場合、知覚神経が反応しないため、痛みが生じにくい。このため、歩行動作の最中の膝痛が生じにくくなる効果が高まる。なお、階段下りモードにおける立脚前期、および、階段上りモードにおける立脚後期についても同様に設定することができる。また、図７に示される変形例の制御部３１の立脚前期、立脚後期、および、遊脚後期についても同様に設定することができる。
【００７１】
本電気刺激装置は、以下の課題を解決するための手段を含む。
（付記１）前記制御部は、前記遊脚期のうち、脚を上げる期間である遊脚前期、および、前記脚を下す期間である遊脚後期を判定し、前記遊脚後期から前記立脚中期までの期間において前記電極に電気刺激を出力させる請求項１に記載の電気刺激装置。
【００７２】
（付記２）前記制御部は、前記１歩行周期のうち、踵が接地し、かつ、足の爪先が接地していない立脚前期、足の爪先が接地し、かつ、踵が接地していない立脚後期、脚を上げる期間である遊脚前期、および、前記脚を下す期間である遊脚後期を判定し、前記遊脚後期から前記立脚後期までの期間において前記電極に電気刺激を出力させる請求項１に記載の電気刺激装置。
【符号の説明】
【００７３】
１…電気刺激装置、１１…第１電極（腹側筋電極）、１２…第２電極（背側筋電極）、１３…第３電極（腓腹筋電極）、１４…サポーター（装着部）、３１…制御部、５１…大腿四頭筋（下肢腹側筋群）、５２…ハムストリング（下肢背側筋群）、５６…腓腹筋。
【図１】
2015136585.tif 000003
【図２】
2015136585.tif 000004
【図３】
2015136585.tif 000005
【図４】
2015136585.tif 000006
【図５】
2015136585.tif 000007
【図６】
2015136585.tif 000008
【図７】
2015136585.tif 000009